(57)【要約】【課題】コイルの巻回作業の煩雑化やコイルの脱落を防止しながら、コイルとフェライトコアの磁界放出面とを近づけて位置させる。【解決手段】磁芯２ａを有するフェライトコア２と、磁芯２ａが挿入されるボビン３と、このボビン３に巻回されるコイル４とを備えてなり、ボビン３にはコイル４の下面側に、挿入孔の一方の長辺側が欠落したツバ部３ａが形成されている。そして、このツバ部３ａが欠落した部分からは、コイル４が露呈し、この露呈したコイル４の下面側が、スライダ５で支持される。【選択図】  図１
2004296003.tif 000002
【特許請求の範囲】
【請求項１】
磁界変調記録方式により光磁気記録媒体に情報の記録を行う磁界変調ヘッドにおいて、
磁芯を有するフェライトコアと、
上記磁芯が挿入されるボビンと、
上記ボビンに巻回されるコイルとを備え、
上記ボビンは、上記コイルの下面側のツバ部の少なくとも一部が欠落されていることを特徴とする磁界変調ヘッド。
【請求項２】
上記ツバ部が欠落した部分に上記コイルが露呈しており、この露呈した部分のコイルの下面がスライダによって支持され、且つ上記ツバ部が欠落していない部分は上記スライダに支持されないことを特徴とする請求項１記載の磁界変調ヘッド。
【請求項３】
上記ボビンは、上記コイルの下面側のツバ部の全部が欠落されていることを特徴とする請求項１記載の磁界変調ヘッド。
【請求項４】
上記ボビンのコイル上面側位置には、スライダに対する支持部が設けられていることを特徴とする請求項３記載の磁界変調ヘッド。
【請求項５】
上記コイルが巻回される上記ボビンの巻回部の厚さが０．１ｍｍ以下であることを特徴とする請求項１記載の磁界変調ヘッド。
【発明の詳細な説明】
【０００１】
【発明の属する技術分野】
本発明は、磁界変調方式により光磁気ディスクに情報を記録する磁界変調ヘッドに関し、特にコイルの組み付け構造の改良に関する。
【０００２】
【従来の技術】
従来、磁界変調方式で光磁気ディスクへの情報の記録を行う磁気ディスク装置には、図３に示すような磁界変調ヘッド５１が用いられている。この磁界変調ヘッド５１は、同図に示すように、磁芯５２ａを中央に有するフェライトコア５２と、磁芯５２ａが挿入される挿入孔が形成されたボビン５３と、このボビン５３に巻回されるコイル５４とからなる。そして、この磁界変調ヘッド５１は、光磁気ディスクＤの記録再生面に摺接するスライダ５５の収容部５５ａ内に収容され、同図に示すように、スライダ５５の摺動面側に形成された突部５５ｂにてコイル５４の脱落を防止するツバ部５３ａが支持されている（例えば、特許文献１参照）。
【０００３】
上述したように、従来の磁界変調ヘッド５１では、突部５５ｂにてツバ部５３ａを支持することによってスライダ５５に保持されるが、これら突部５５ｂ及びツバ部５３ａの厚みｔ２の分だけコイル５４の位置がフェライトコア５２の磁界放出面（あるいは光磁気ディスクＤの記録面）から遠ざかってしまう。その結果、磁界変調ヘッド５１では、インダクタンスが高くなってしまうという問題がある。磁界変調ヘッド５１では、インダクタンスの増加は致命的であり、特に高密度の磁界変調記録が難しくなる。
【０００４】
そこで従来、上述した磁界変調ヘッド５１の欠点を改善するために、図４に示すように、ボビンを使用せずに、フェライトコア６２の磁芯６２ａが直接空心コイル６３に挿入される磁界変調ヘッド６１が提案されている。この磁界変調ヘッド６１によれば、空心コイル６３の下面とフェライトコア６２の磁界放出面とが面一となるような位置まで空心コイル６３の位置を下げ、空心コイル６３とフェライトコア６２の磁界放出面とを近づけることが可能となるため、インダクタンスを低下させることができる。
【０００５】
【特許文献１】
特開平１１−２５４１１号公報
【０００６】
【発明が解決しようとする課題】
しかしながら、空心コイル６３を利用した磁界変調ヘッド６１では、空心コイル６３とフェライトコア６２との相対位置関係を確保するために、高精度に位置決めをしてコイル線を巻回する必要があるが、このような巻回作業は非常に困難であり、巻回作業の煩雑化やコスト高の原因となっている。また、巻回後も、空心コイル６３のフェライトコア６２に対する固定が不安定であり、フェライトコア６２から空心コイル６３が脱落する虞れがあるという問題もある。
【０００７】
そこで、本発明は、このような従来の実情に鑑みて提案されたものであり、コイルの巻回作業の煩雑化やコイルの脱落を防止しながら、コイルの位置をフェライトコアの磁界放出面に近づけることのできる磁界変調ヘッドを提供することを目的とする。
【０００８】
【課題を解決するための手段】
上述した目的を達成する本発明に係る磁界変調ヘッドは、磁界変調記録方式により光磁気記録媒体に情報の記録を行うものであり、磁芯を有するフェライトコアと、磁芯が挿入されるボビンと、このボビンに巻回されるコイルとを備えてなる。そして、ボビンには、コイル下面側のツバ部の少なくとも一部が欠落されていることを特徴とする。
【０００９】
上述の構成を有する本発明の磁界変調ヘッドでは、ボビンのツバ部の一部が欠落されて形成されることによって、この欠落した部分からコイルが露呈し、この露呈したコイルの下面側が例えばスライダによって直接支持され、且つツバ部が欠落していない部分はスライダに支持されない。その結果、ツバ部の厚みの分だけコイルを下側、具体的にはフェライトコアの磁界放出面に近づくように位置させることができる。コイルとフェライトコアの磁界放出面とを近づけることで、インダクタンスが低下する。
【００１０】
また、本発明に係る磁界変調ヘッドは、上記ボビンのツバ部の全部が欠落して形成される、すなわちツバ部が無いものであってもよい。この場合には、例えばボビン自体に支持部を設け、この支持部をスライダによって支持することにより、コイルをさらに下側に位置させることができるようになる。
【００１１】
【発明の実施の形態】
以下、本発明に係る磁界変調ヘッドの具体的な実施の形態について図面を参照しながら詳細に説明する。
【００１２】
磁界変調ヘッド１は、図１（ａ）及び図１（ｂ）に示すように、中央に磁芯２ａを有するＥ字状のフェライトコア２と、磁芯２ａが挿入される挿入孔が形成されたボビン３と、このボビン３に巻回されるコイル４とからなる。そして、この磁界変調ヘッド１は、光磁気ディスクｂの記録再生面に摺接する例えばセラミック製のスライダ５に形成された収容部５ａ内に収容されている。なお、詳しい図示は省略するが、磁界変調ヘッド１を収容するスライダ５は、弾性を有する金属製のサスペンションに支持されている。
【００１３】
ボビン３には、フレキシブルプリント基板（ＦＣＰ）に接続された端子６が設けられており、この端子６にコイル４の両端部がからげられてはんだ付けされている。また、ボビン３は、図１（ａ）及び図１（ｂ）に示すように、コイル４の下面側、すなわちスライダ５の摺動面側に、ツバ部３ａが形成されている。このツバ部３ａは、その一部が欠落した状態で、本例においては磁芯２ａが挿入される長方形状を呈した挿入孔３ｂの一方の長辺側部分が欠落した状態で形成されている。そして、ツバ部３ａが欠落した部分からコイル４の下面の一部が露呈している。
【００１４】
上述した構成の磁界変調ヘッド１は、スライダ５の収容部５ａに収容された際に、ツバ部３ａが欠落した部分から露呈するコイル４が、スライダ５の摺動面側に形成された突部５ｂによって支持され、且つツバ部３ａは突部５ｂに支持されない。
【００１５】
磁界変調ヘッド１では、このような構成とすることで、従来の如くスライダ５の突部５ｂによってツバ部３ａが支持されず、コイル４の下面が直接支持されているため、コイル４とフェライトコア２の磁界放出面との距離ｔ１が、スライダ５の突部５ｂの厚み分のみとされる。そして、このことは、突部５ｂによってツバ部３ａが支持された場合に比して、ツバ部３ａの厚み分だけコイル４を下側、すなわちフェライトコア２の磁界放出面側に位置させ、コイル４とフェライトコア２の磁界放出面とを近づけることとなる。このように、本例の磁界変調ヘッド１では、コイル４とフェライトコア２の磁界放出面とを近づけて位置させることが可能となり、インダクタンスを低下させることができ、さらには立ち上がり波形の改善や、逆起電力の抑制を図ることができる。
【００１６】
また、本例の磁界変調ヘッド１では、コイル４がスライダ５の突部５ｂによって支持されているため、光磁気ディスクＤの記録面へのコイル４の脱落を防止することができる。さらに、本例の磁界変調ヘッド１では、ボビン３の挿入孔の他方の長辺側及び両短辺側においてはツバ部３ａが残存形成されているため、コイル４の巻回作業における作業性、品質を損なうことが無く、また、コイル４をボビン３に対して安定して固定することができる。
なお、本発明は、上述した構成に限定されるものではなく、例えば両方の長辺側や、一方の短辺側等、他の部分においてツバ部３ａが欠落され、その欠落部分からコイル４が露呈するものであってもよい。
【００１７】
また、本発明は、図２に示す磁界変調ヘッド１１の如く、ツバ部３ａの全ての部分が欠落した状態、すなわちツバ部３ａが全く形成されていないボビン１２を用いてもよい。以下、このような構成の磁界変調ヘッド１１について説明する。なお、以下の磁界変調ヘッド１１の説明においては、上述した図１（ａ）及び図１（ｂ）に示す磁界変調ヘッド１と同様の構成を有する部材については同一の符号を付し、その詳細な説明は省略する。
【００１８】
本例の磁界変調ヘッド１１に用いられるボビン１２は、上述したようにコイル４の下面側にツバ部が全く形成されていない。この場合には、コイル４の下面側をスライダ５で支持するのではなく、ボビン１２にスライダ５からの脱落を防止するための突起部を支持部として設け、この突起部をスライダ５で支持することにより位置決め固定される。
【００１９】
このような構成の磁界変調ヘッド１１では、上述したようにツバ部の無いボビン１２を使用し、このボビン１２にコイル４を巻回することで、コイル４の下面とフェライトコア２の磁界放出面とが面一となるような位置までコイル４を下側に位置させて、空心コイルを使用した場合と同じくらいコイル４とフェライトコア２の磁界放出面とを近づけることができる。したがって、磁界変調ヘッド１１では、空心コイルを使用した場合と同等のインダクタンスに抑制することができ、立ち上がり波形の改善や、逆起電力の抑制を図ることができる。
【００２０】
また、本例の磁界変調ヘッド１１では、コイル４がボビン１２に巻回されているため、空心コイルを使用した場合と異なり、コイル４をボビン１２に対して安定して固定してコイル４の脱落を防止することができ、コイル１２の巻回作業の作業性を煩雑化させたり、コスト高とするようなこともない。
【００２１】
なお、本例の磁界変調ヘッド１１においては、コイル４が巻回されるボビン１２の巻線部１２ａの肉厚が薄く、具体的には０．１ｍｍ以下とされている。このようにボビン１２の巻線部１２ａの肉厚を薄くすることで、フェライトコア２とコイル４との隙間を空心コイルを使用した場合と同じくらいに小さくすることがでる。その結果、磁界変調ヘッド１１においては、フェライトコア２とコイル４との間に絶縁不良が生じさせること無く、空心コイルを使用した場合と同等の高い電磁変換効率を得ることができる。このような構成は上述した磁界変調ヘッド１についても適用することができる。
【００２２】
また、上述した磁界変調ヘッド１、１１にあっては、コイル４の両端部がボビンに形成された端子に接続されることとしたが、本発明はこのような構成に限定されるものではなく、コイル４の両端部を直接ＦＣＰにはんだ付けするよう構成するものであってもよい。
【００２３】
【発明の効果】
以上、詳細に説明したように本発明に係る磁界変調ヘッドによれば、コイルの下面側に位置するツバ部を一部欠落した状態で形成し、ここから露呈するコイルの下面を直接、例えばスライダで支持し、且つ欠落していないツバ部はスライダで支持されないので、ボビンのツバ部の厚みの分だけコイルを下側、具体的にはフェライトコアの磁界放出面に近づけて位置させ、インダクタンスを低下させることができる。
【００２４】
また、本発明に係る磁界変調ヘッドによれば、上記ボビンが、ツバ部の全部が欠落して形成される、すなわちツバ部が無いものであってもよく、このような場合には、例えばボビン自体に支持部を設け、この支持部をスライダで支持することにより、コイルをさらに下側に位置させ、よりインダクタンスを低下させることができる。
【００２５】
このように、コイルとフェライトコアの磁界放出面都を近づけてインダクタンスを低下させることによって、立ち上がり波形の改善及び逆起電力の抑制を図ることができる。また、本発明によれば、コイルの巻回作業における作業性、品質を損なうことが無く、コイルをボビンに対して安定して固定することができる。
【図面の簡単な説明】
【図１】本発明を適用した磁界変調ヘッドの一例を示す断面図（ａ）と底面図（ｂ）である。
【図２】本発明を適用した磁界変調ヘッドの他の例を示す断面図である。
【図３】従来の磁界変調ヘッドの断面図である。
【図４】空心コイルを用いた従来の磁界変調ヘッドの断面図である。
【符号の説明】
１    磁界変調ヘッド
２    フェライトコア
２ａ      磁芯
３    ボビン
３ａ    ツバ部
４    コイル
５    スライダ
５ａ    収容部
５ｂ    突部
６    端子
【図１】
2004296003.tif 000003
【図２】
2004296003.tif 000004
【図３】
2004296003.tif 000005
【図４】
2004296003.tif 000006